(57)【要約】【課題】従来の換気装置では、湿度が高い空間や空気の行き渡りにくい場所で乾燥不足やカビが発生するという課題があった。【解決手段】天井面２に取り付けられ下面に室内側に臨む循環開口部１９を有する箱状のフレーム７の内部に送風機８を有し、フレーム７内のケーシング１１には循環開口部１９を備えることで空気の一部を浴室１内に吐き出す換気装置において、送風機吐出口１５の開口率を調整する吐出口遮蔽手段２５を備えた構成にしたことにより、湿度が高い空間等への給気を多くすることが可能となり、湿度が高い空間や空気の行き渡りにくい場所でのカビの発生を抑制することができる換気装置を得られる。【選択図】図１
2015183982.tif 000002
【特許請求の範囲】
【請求項１】
天井に取り付けられ、下面に室内側に臨む開口を有する箱状のフレームと、前記フレーム内に配設された遠心型の送風機を有した換気装置であって、前記フレームには、前記開口を覆うように化粧パネルが設けられ、前記送風機は、下面に吸込口を有し側面に送風機吐出口を有したスクロール状のケーシングと、前記ケーシング内に配設される遠心送風羽根と、前記遠心送風羽根を回転駆動する電動機とで構成され、前記ケーシングの側壁部に少なくとも一つ以上の循環口を設け、前記化粧パネルには、中央部にパネル用吸込口、周縁部にパネル用吐出口が備えられ、前記吸込口と前記パネル用吸込口とを連通する接続ダクトを設け、前記フレームの内壁と前記接続ダクトの外壁との間には、前記循環口と前記パネル用吐出口が連通され、前記送風機吐出口には、開口率を調整する遮蔽手段が備えられたことを特徴とする換気装置。
【請求項２】
前記パネル用吐出口は、ほぼ水平方向に吐出されるように開口を設けた請求項１記載の換気装置。
【請求項３】
前記循環口と室内側を連通させる循環経路内に静電霧化装置を備えたことを特徴とする請求項１または２記載の換気装置。
【請求項４】
前記遮蔽手段をスライドさせる駆動装置と、前記駆動装置の運転制御を行う制御部を有し、
前記制御部は、前記電動機の運転開始時には、前記遮蔽手段をスライドさせて前記送風機吐出口の開口率を最大にし、一定時間経過後、前記送風機吐出口の開口率を小さくすることを特徴とする請求項１〜３いずれかひとつに記載の換気装置。
【請求項５】
吸込空気の湿度を検出する湿度センサと、前記遮蔽手段をスライドさせる駆動装置と、前記駆動装置の運転制御を行う制御部を有し、前記制御部は、前記電動機の運転開始時には、前記遮蔽手段をスライドさせて前記送風機吐出口の開口率を最大にし、前記湿度センサが検出した湿度が所定の値を下回った後、前記送風機吐出口の開口率を小さくすることを特徴とする請求項１〜３いずれかひとつに記載の換気装置。
【発明の詳細な説明】
【技術分野】
【０００１】
本発明は、天井に設けた開口に埋め込まれ、天井裏に配管され屋外と連通するダクトに接続され、室内の換気を行う換気装置に関する。
【背景技術】
【０００２】
従来、この種の換気装置としては、換気を対象とする室内とは別の空間から空気を室内側に給気すると同時に、換気対象の室内の空気を排気することでより一層換気、乾燥の効率を高めた換気装置が知られている。（例えば、特許文献１参照）。
【０００３】
以下、この種の換気装置について、図９を参照しながら説明する。
【０００４】
図９に示すように、換気装置本体１０１は、建物内の屋根裏空間または天井裏空間に設置され、同時に給気形換気装置１０２が同様の空間に設置される。この換気装置本体１０１は本体フレーム１０３の側面に給気吸込口１０４と他の側面に排気口１０５を有し、この換気装置本体１０１の室内側の面を覆うように、下面に室内吸込部１１１と周辺部に室内吐出部１１２を有した化粧グリル１０６が配設される。また、換気装置本体１０１の内部には電動機１０７が固定されて、その電動機１０７には遠心送風羽根１０８が固定されている。遠心送風羽根１０８は、ケーシング１０９にて形成された給気室内に配設され、その下方にはオリフィス１１０が設けられている。また、本体フレーム１０３とケーシング１０９との間には給気風路１１３を有している。
【０００５】
本構造において、室内の空気は、遠心送風羽根１０８により室内吸込部１１１を通過しオリフィス１１０から換気装置本体１０１内に吸い込まれ、その後、排気口１０５から排気ダクトを介して室外に排気される。一方で、給気形換気装置１０２から吐出された給気は、給気吸込口１０４から導入され、換気装置本体１０１内部の給気風路１１３を通過し、化粧グリル１０６の室内吐出部１１２から室内に給気される構成となっている。
【先行技術文献】
【特許文献】
【０００６】
【特許文献１】特開平７−１４５９７３号公報
【発明の概要】
【発明が解決しようとする課題】
【０００７】
このような従来の換気装置においては、室内の排気のみを行なう換気装置に対して同時に給気を行うことにより、換気対象とする空間に空気が行き渡りやすくなるため、換気の有効性としては優れてはいた。しかし、室内にはカビ、ニオイなどが残留し、湿度が高い空間やコーナー部などでカビが発生するなどの課題があった。
【０００８】
そこで本発明は、上記の従来の課題を解決するものであり、室内の脱臭およびカビを生えにくくする換気装置を提供することを目的とする。
【課題を解決するための手段】
【０００９】
この目的を達成するために、本発明は天井に取り付けられ下面に室内側に臨む開口を有する箱状のフレームと、前記フレーム内に配設された遠心型の送風機とを有した換気装置であって、前記フレームには、前記開口を覆うように化粧パネルが設けられ、前記送風機は、下面に吸込口を有し側面に送風機吐出口を有したスクロール状のケーシングと、前記ケーシング内に配設される遠心送風羽根と、前記遠心送風羽根を回転駆動する電動機とで構成され、前記ケーシングの側壁部に少なくとも一つ以上の循環口を設け、前記化粧パネルには、中央部にパネル用吸込口、周縁部にパネル用吐出口が備えられ、前記吸込口と前記パネル用吸込口とを連通する接続ダクトを設け、前記フレームの内壁と前記接続ダクトの外壁との間には、前記循環口と前記パネル用吐出口が連通され、前記送風機吐出口には、開口率を調整する遮蔽手段を備えたものであり、これにより所期の目的を達成するものである。
【発明の効果】
【００１０】
本発明によれば、天井に取り付けられ、下面に室内側に臨む開口を有する箱状のフレームと、前記フレーム内に配設された遠心型の送風機とを有した換気装置であって、前記フレームには、前記開口を覆うように化粧パネルが設けられ、前記送風機は、下面に吸込口を有し側面に送風機吐出口を有したスクロール状のケーシングと、前記ケーシング内に配設される遠心送風羽根と、前記遠心送風羽根を回転駆動する電動機とで構成され、前記ケーシングの側壁部に少なくとも一つ以上の循環口を設け、前記化粧パネルには、中央部にパネル用吸込口、周縁部にパネル用吐出口が備えられ、前記吸込口と前記パネル用吸込口とを連通する接続ダクトを設け、前記フレームの内壁と前記接続ダクトの外壁との間には、前記循環口と前記パネル用吐出口が連通され、前記送風機吐出口には、開口率を調整する遮蔽手段を備えることにより、循環流で室内空間の乾燥を促進して空気中に水分を含ませた後、湿度の高くなった空気を排出することによって効率的に換気を行うことができる。また、循環流は、空気の行き渡りにくい場所に空気を流すので、カビの発生を抑制することができる。
【図面の簡単な説明】
【００１１】
【図１】本発明の実施の形態１の換気装置を示す側面断面図
【図２】同換気装置の送風羽根とフレームとケーシングを示す上方透視図
【図３】同換気装置の送風羽根とケーシングを示す上方透視図
【図４】同換気装置の化粧パネルを外した状態の下方斜視図
【図５】同換気装置の化粧パネルを示す上方斜視図
【図６】本発明の実施の形態２の換気装置を示す上方斜視図
【図７】同換気装置の化粧パネルを外した状態の上方斜視断面図
【図８】浴室入浴後の換気装置の運転で、時間と排気風量の水分量を表す相関図
【図９】従来の換気装置を示す側面断面図
【発明を実施するための形態】
【００１２】
本発明の請求項１記載の換気装置は、天井に取り付けられ、下面に室内側に臨む開口を有する箱状のフレームと、前記フレーム内に配設された遠心型の送風機とを有した換気装置であって、前記フレームには、前記開口を覆うように化粧パネルが設けられ、前記送風機は、下面に吸込口を有し側面に送風機吐出口を有したスクロール状のケーシングと、前記ケーシング内に配設される遠心送風羽根と、前記遠心送風羽根を回転駆動する電動機とで構成され、前記ケーシングの側壁部に少なくとも一つ以上の循環口を設け、前記化粧パネルには、中央部にパネル用吸込口、周縁部にパネル用吐出口が備えられ、前記吸込口と前記パネル用吸込口とを連通する接続ダクトを設け、前記フレームの内壁と前記接続ダクトの外壁との間には、前記循環口と前記パネル用吐出口が連通され、前記吐出口には、開口率を調整する遮蔽手段を備えることにより、送風機吐出口およびパネル用吐出口を流れる風の増減が行なわれることとなるので、より湿度の高い空気の換気を行なうこと、また空気の行き渡りにくい場所に空気を流すことで、空気の行き渡りにくい場所の乾燥を行なうことで、カビの発生を抑制するという効果を奏する。
【００１３】
また、前記パネル用吐出口をほぼ水平方向に吐出されるように開口を設けたことにより、パネル用吐出口から流れる風は室内の天井面を沿うように流れることとなるので、天井面の空気の行き渡りにくい場所での乾燥を行ないカビの発生を抑制するという効果を奏する。
【００１４】
また、前記循環口と室内側を連通させる循環経路内に静電霧化装置を備えたことにより、静電霧化装置から発生する帯電微粒子水が室内側に流れ込み、室内にある臭気や浮遊カビ菌と反応して分解、除去することとなるので、室内の臭気を取り除き、カビを抑制するという効果を奏する。
【００１５】
また、前記遮蔽手段をスライドさせる駆動装置と、前記駆動装置の運転制御を行う制御部を有し、前記制御部は前記電動機の運転開始時には前記遮蔽手段をスライドさせて前記送風吐出口の開口率を最大にし、一定時間経過後前記送風吐出口の開口率を小さくすることにより初期段階で排気運転を行い、室内の湿度を排出しその後循環運転と換気運転を繰り返すことになるので、循環運転と換気運転を繰り返すことにより、より高湿の空気を排出しカビの発生を抑制するという効果を奏する。
【００１６】
また、吸込空気の湿度を検出する湿度センサと、前記遮蔽手段をスライドさせる駆動装置と、前記駆動装置の運転制御を行う制御部を有し、前記制御部は前記電動機の運転開始時には前記遮蔽手段をスライドさせて前記送風吐出口の開口率を最大にし、前記湿度センサが検出した湿度が所定の値を下回った後、前記送風吐出口の開口率を小さくすることにより、室内の空気環境を検知し遮断手段の開口率を調整が可能となるので、空気環境を検知し排気風量と循環風量を制御し乾燥不足やカビ抑制の運転を行なうという効果を奏する。
【００１７】
以下、本発明の実施の形態について図面を参照しながら説明する。
【００１８】
（実施の形態１）
図１に示すように、本実施の形態の換気装置は、浴室１などの天井面２の開口部３から天井裏４に突設される。そして、略直方体形状であるフレーム７には、下面に吸込口５と一側面に室外へ通ずるダクト１２を接続する吐出口６が設けられている。さらにフレーム７の内部には送風機８が設けられている。その送風機８は、送風羽根１０とこの送風羽根１０の外周部を囲んだ渦巻形状をしたケーシング１１とで構成されている。送風羽根１０は電動機９の回転軸に固着されている。そして電動機９は、フレーム７の天面を構成する電動機取付板１３に取り付けられている。
【００１９】
ケーシング１１は、スクロールを成す側壁部１４と、吐出口６に連通する送風機吐出口１５と、送風羽根１０の下方に設けられる底部１６と、底部１６に設けられた送風機吸込口１７で構成される。ここで側壁部１４の送風機吐出口１５近傍においては、図２に示すように空気を吐出口６に案内するための舌部１８と、ケーシング１１の上方部に複数の開口（循環開口部１９）が設けられる。また、送風機吸込口１７の周縁には、空気を送風羽根１０に案内するためのベルマウス２０が設けられる。
【００２０】
フレーム７とケーシング１１の間には、循環通風空間２１が生成される。循環通風空間２１は、箱型のフレーム７と渦巻形状をしたケーシング１１を組み合わせるので、少なくともフレーム角部２２に生成されることになる。また、この循環通風空間２１は、循環開口部１９を介してケーシング１１内と連通する構成となっている。一方、ケーシング１１の底部１６には、送風機吸込口１７を取り囲むように吸込循環経路構成リブ２３が設けられる。
【００２１】
また、図３に示すようにケーシング１１の舌部１８とフレーム７のとの間の舌部裏空間２４には吐出口遮蔽手段２５が収納されている。図４に示すように吐出口遮蔽手段２５の下方の端部２６は取手形状をしており、ケーシング１１の底部１６の一部に設けたスリット状の吐出口遮蔽手段穴２７を貫通し保持される。また、図３の詳細図に示すように舌部１８においては、遮蔽手段穴２８が開口し送風機吐出口１５と舌部裏空間２４を連通させており、この遮蔽手段穴２８に吐出口遮蔽手段２５が挿入させる。このように上記端部２６を図４に示すＡ方向に直線運動することにより、吐出口遮蔽手段２５は送風機吐出口１５の開口面積を調整することができる。すなわち吐出口遮蔽手段２５を送風機吐出口１５にスライドさせれば送風機吐出口１５の開口面積は小さくなり、舌部裏空間２４側にスライドさせれば送風機吐出口１５の開口面積は大きくなる。
【００２２】
フレーム７の下側には、その下面を覆うように椀状の化粧パネル２９が設けられる。図５に示すようにこの化粧パネル２９の椀状の中央部には、浴室１内からの空気を取り入れるための格子状のパネル用吸込口３０が設けられる。また、フレーム取り付け面側には格子状のパネル用吸込口３０を取り囲むように化粧パネル重合部３１が設けられている。さらに、化粧パネル２９の周縁部には、ほぼ水平方向に吐出されるパネル用吐出口３２が設けられている。パネル用吐出口３２は、化粧パネル２９の外周に近い場所に４箇所有し４方向へ吐出する構成となっている。なお、この実施の形態１では４箇所と記載したが、４箇所に限定するものではなく、化粧パネル２９の外周部から吹き出す形態であれば、その個数は４個以下でも、４個より多くてもよい。
【００２３】
この化粧パネル２９は、公知の取付手段である外方向開き勝手のばね（図示せず）により、フレーム７に取り付けられる。
【００２４】
化粧パネル２９をフレーム７に設置するとき、フレーム７の吸込循環経路構成リブ２３は、化粧パネル２９の化粧パネル重合部３１と重合することになる。ここで化粧パネル重合部３１は、円形や正四角形などの断面形状を有することにより、化粧パネル２９がフレーム７に対して４方向異なる向きに取り付いた場合でもフレーム７と化粧パネル２９を隙間なく重合させることができる。また、化粧パネル重合部３１には、上下方向に吸込循環経路構成リブ２３と重なる長さが変えられるようにストローク代が設けてある。このストローク代により、化粧パネル２９とフレーム７の上下方向の距離が変化した場合でも、化粧パネル重合部３１に隙間が生じることなく取り付けることができる。そのため、天井厚みや施工方法の違いにより、フレーム７と化粧パネル２９の距離が一定とならない場合でも化粧パネル重合部３１に隙間が生じることはない。
【００２５】
このような上記構成において、送風機８を運転すると浴室１の空気は、図１の排気流線３４に示すように、パネル用吸込口３０、吸込循環経路構成リブ２３の内側、ベルマウス２０に導かれながら送風機吸込口１７から送風機８に吸い込まれる。吸い込まれた空気の一部は、送風機吐出口１５から、吐出口６を通りダクト１２を通り屋外へ排気される。また、送風機８に吸い込まれた空気の一部は、図１〜図４の循環流線３５に示すように、ケーシング１１の側壁部１４の循環開口部１９に流れ込む。そして、循環通風空間２１を通過し、吸込循環経路構成リブ２３の外側を通り、浴室１へ吐き出される。
【００２６】
この結果、浴室１内には、浴室のユニットバスの扉などに設けられる浴室給気口（図示せず）から、浴室１外の乾き空気が流入する。そして、浴室１内に付着した水分を蒸発させながら排気をおこなうことで浴室１の乾燥を行うのである。一方で、パネル用吐出口３２から循環風を吐き出すことので、浴室１内空間はより蒸発が促進される。そして、蒸発した水分を多く含んだ空気を排出するので、浴室１内をすばやく乾燥させることを可能とする。
【００２７】
また、一般に、浴室給気口（図示せず）から空気を引き込むだけでは、浴室給気口からフレーム７への一様の空気の流れとなるため、流れから離れた部分へは空気が行き渡りにくい。そこで、パネル用吐出口３２から循環風を吐き出すことで、空気が行き渡りにくい部分にも空気を送る。このパネル用吐出口３２から吹き出した循環風は、浴室１の乾燥を促進させ、カビの発生を抑える効果がある。ここでは、パネル用吐出口３２から吐き出す空気は水平方向に吐き出され、循環風は浴室１の天井面２を沿うように流れるため、より一層浴室１に風が行き渡るため乾燥が促進されるといえる。
【００２８】
次に、送風機吐出口１５の開口面積を変更する場合について説明する。
【００２９】
吐出口遮蔽手段２５の端部２６を摺動操作し、吐出口遮蔽手段２５にて送風機吐出口１５の開口を小さくする。送風機吐出口１５の開口を小さくすると、送風機吐出口１５を通る空気は減少するとともに、ケーシング１１の循環開口部１９へ流れる空気は増大する。そのため、浴室１の排気風量は減少し、浴室１へ吐き出される循環風量は増大する。このようにして、排気風量と循環風量の割合を調整する。一方、現地のダクト抵抗、設置される換気部材、浴室１内の給気抵抗などにより現場ごとに圧力損失が異なり、また、浴室給気口と換気装置のフレーム７の設置位置の関係により、乾燥に適した排気風量と循環風量が異なってくる。本実施の形態の換気装置では、吐出口遮蔽手段２５で送風機吐出口１５の開口を調整することができるため、排気風量と循環風量の構成比が調整可能となる。すなわち、吐出口遮蔽手段２５によって、設置状況に適した排気風量と循環風量の割合に調整することができるので、効率的に浴室１内を乾燥させることができる。
【００３０】
また、図４に示すように、循環通風空間２１に静電霧化装置３６を配置する。送風機８に吸い込まれた空気の一部は、循環流線３５に示すように、ケーシング１１の側壁部１４に設けた複数の循環開口部１９から吐き出される。そして、循環通風空間２１を通過し静電霧化装置３６に沿うようにしてパネル用吐出口３２から循環風を吐き出す。
【００３１】
ここで、静電霧化装置３６を通電すると、その放電電極（図示なし）は結露を発生させ帯電微粒子水が発生するものである。発生した帯電微粒子水は、循環流線３５に示す循環風によって、パネル用吐出口３２から吐き出し浴室１に搬送される。そして、この帯電微粒子水は、浴室１に発生した臭気成分と反応して分解、除去し、臭気濃度をさらに低減し、空気中の浮遊カビ菌の活動を抑制する。つまり、送風機８の送風による換気だけでなく、静電霧化装置３６から発生する帯電微粒子水を浴室１に供給することによって、短時間で臭気を取り除く、またカビを生えにくくするという効果を奏する。
【００３２】
（実施の形態２）
図６から図８を用いて、第二の実施の形態について説明する。図６または図８において、第一の実施の形態と同様の構成要素については同一の符号を付し、その詳細な説明は省略する。
【００３３】
図６および図７に示すように、電動機９を固着し、フレーム７の天面を構成する電動機取付板１３ａには、直線形状の吐出口遮蔽手段穴２７ａが設けられている。吐出口遮蔽手段２５ａは、電動機取付板１３ａ側の端部２６ａが歯車形状をしたフランジ部３８を有している。そして、吐出口遮蔽手段２５ａは、上部（すなわち、端部２６ａ側）を吐出口遮蔽手段穴２７ａに挿入して保持される。また、吐出口遮蔽手段電動機３９が電動機取付板１３ａに固定され、その回転軸に吐出口電動機歯車４０が備えられている。吐出口遮蔽手段２５ａの端部２６ａは、その歯車形状と吐出口電動機歯車４０とが噛み合うようになっている。さらに電動機取付板１３ａには、これら吐出口遮蔽手段電動機３９の運転を制御する制御手段４１が設置され、電源線や信号線（図示なし）が接続される。こうして、吐出口遮蔽手段電動機３９を駆動することによって、吐出口遮蔽手段２５ａを摺動させ、送風機吐出口１５ａの開口の大きさを調整する。
【００３４】
上記構成において、外部からスイッチ、リモコン（図示なし）などの操作を受けた制御手段４１はその命令によって、吐出口遮蔽手段２５ａを作動させ、送風機吐出口１５ａの開口を調整する。具体的説明として、排気風量を最大にする運転を行う場合は、吐出口遮蔽手段電動機３９の軸が回動することにより、直結された吐出口電動機歯車４０が回動する。そして、歯車形状の端部２６ａが連動することにより吐出口遮蔽手段２５ａが動作し、送風機吐出口１５ａの開口面積が変更されることになる。
【００３５】
ここで、送風機吐出口１５ａの開口を最大にすると、吐出口遮蔽手段２５ａが舌部裏空間２４ａに収納されることになる。この結果、送風機吐出口１５ａを遮るものがないため、排気経路における圧力損失は最小となり、排気風量を最大にした運転となる（排気モード）。一方、循環風量を最大にする運転においては、吐出口遮蔽手段２５ａを送風機吐出口１５ａ側に一杯までスライドさせて、送風機吐出口１５ａの開口を小さくする。このようにすると、排気経路における圧力損失は最大となり、循環風量を最大にした運転となる（循環モード）。
【００３６】
また、図８は、入浴後の換気装置の運転で、時間経過による排気風量に含まれる水分量を表す相関図である。この図８に示すように、入浴直後の初期段階では、浴室１内に付着した水分が多くあり、これらの水分を蒸発させ、排出するために室外から乾いた空気を取り入れる排気運転を行うことが重要である。この際、もちろん循環を行うことで水分を蒸発させる有効な手段ではあるが、排気運転で水分を多く含んだ空気を吐き出すことの効果は比較的小さい。
【００３７】
そこで、一定時間経過後ある程度の乾燥が進んだときは、循環風量を増やすことでより効率的な乾燥が可能となる。これは、一定の蒸発が進み、循環風量が室外から乾いた空気に近い状態になるとき、循環風を積極的に送ることで、排気のみの空気の流れ以外の部分の蒸発を促進させ乾燥させることが可能となる。
【００３８】
制御手段４１は、運転初期段階には、吐出口遮蔽手段２５ａを駆動させて、舌部裏空間２４ａに収納し（送風機吐出口１５ａの開口面積：最大）、排気モードで運転を行う。そして、一定時間経過後に、吐出口遮蔽手段２５ａを送風機吐出口１５ａ側にスライドさせて、送風機吐出口１５ａの開口面積を小さくし、循環モードで運転を行う。このように、制御手段４１は、運転初期段階では、排気風量を最大にする運転（排気モード）を行い、一定時間経過後には循環風量を増やす運転（循環モード）に切り替える。これにより、蒸発促進による効率的な浴室内乾燥運転が可能となるとともに、浴室１の角部など乾燥が行き渡り難い箇所にも循環風が搬送されることで、より乾燥が促進されカビ菌の発生を抑制することが可能となる。さらに、排気風量を減らし、循環風で乾燥を行うことで、住宅内で空調された空気を排出する量が減ることになる。すなわち、単なる排気のみの乾燥運転に比べ、空調エネルギーのロスを抑えることができる。
【００３９】
また、実施の形態１と同様に、循環通風空間２１内に静電霧化装置３６を配置することにより、循環風は帯電微粒子水を含んだものとなる。ここで制御手段４１は、運転開始から一定時間経過後の循環量を増やす運転（循環モード）時に静電霧化装置３６を運転する。このようにして、循環風の多いときに、帯電微粒子水を循環風に含ませることによって、一層の空気循環を中心にした脱臭循環運転、カビ抑制循環運転が行なわれる。
【００４０】
また、送風機吸込口１７ａに湿度センサ４２を配置することにより、循環モードに移行するタイミングを適切に調節することができる。すなわち、所定の閾値を与え、湿度センサ４２が検出した湿度が所定の閾値を下回ったときに、循環モードに切り替え、吐出口遮蔽手段２５ａを送風機吐出口１５ａ側にスライドさせる。このようにして、効率的によく室内の水分を排出し、浴室１内の乾燥を促進し、空調エネルギーロス抑制が図られる。
【産業上の利用可能性】
【００４１】
本発明によれば、下面に室内側に臨む開口を有する箱状のフレームと、前記フレーム内に配設された遠心型の送風機とを有した換気装置であって、前記フレームには、前記開口を覆うように化粧パネルが設けられ、前記送風機は、下面に吸込口を有し側面に送風吐出口を有したスクロール状のケーシングと、前記ケーシング内に配設される遠心送風羽根と、前記遠心送風羽根を回転駆動する電動機とで構成され、前記ケーシングの側壁部に少なくとも一つ以上の循環口を設け、前記化粧パネルには、中央部にパネル用吸込口、周縁部にパネル用吐出口が備えられ、前記吸込口と前記パネル用吸込口とを連通する接続ダクトを設け、前記フレームの内壁と前記接続ダクトの外壁との間には、前記循環口と前記パネル用吐出口が連通され、前記吐出口には、開口率を調整する遮蔽手段が備えられたことを特徴とする換気装置を備えたことにより、送風吐出口およびパネル用吐出口を流れる風の増減が行なわれることで、より湿度の高い空気の換気を行なうこと、また空気の行き渡りにくい場所に空気を流すことで、空気の行き渡りにくい場所の乾燥を行なうことで、カビの発生を抑制するという効果を有する。
【００４２】
従って、住宅用の換気装置として活用が期待されるものである。
【符号の説明】
【００４３】
１      浴室
２      天井面
３      開口部
４      天井裏
５      吸込口
６      吐出口
７      フレーム
８      送風機
９      電動機
１０    送風羽根
１１    ケーシング
１４    側壁部
１５    送風機吐出口
１５ａ  送風機吐出口
１９    循環開口部
１９ａ  循環開口部
２１    循環通風空間
２３    吸込循環経路構成リブ
２５    吐出口遮蔽手段
２５ａ  吐出口遮蔽手段
２９    化粧パネル
３０    パネル用吸込口
３２    パネル用吐出口
３６    静電霧化装置
３９    吐出口遮蔽手段電動機
４１    制御手段
４２    湿度センサ
【図１】
2015183982.tif 000003
【図２】
2015183982.tif 000004
【図３】
2015183982.tif 000005
【図４】
2015183982.tif 000006
【図５】
2015183982.tif 000007
【図６】
2015183982.tif 000008
【図７】
2015183982.tif 000009
【図８】
2015183982.tif 000010
【図９】
2015183982.tif 000011